(57)【要約】【課題】２つ折り時の厚さの増加を抑制し、また落下時に破損しにくいようにしたパソコン台を提供する。【解決手段】裏面１４に板状の補強リブ（保護リブ）１８を突設させた第１支持板１１と、第２支持板１２とを連結軸２０によって開閉自在に連結する。補強リブ１８を、２つ折り時の第２支持板１２の外周縁１２ａの少し外側に配置し、また、補強リブ１８の裏面１４からの突出高さを、補強リブ２４〜２７を含む第２支持板１２の厚さよりも高く形成して、２つ折り時に第２支持板１２が補強リブ１８の内側に収納されるようにする。これにより、２つ折り時の厚さの増加を抑制するとともに、落下時等に補強リブ１８で保護することで、第２支持板１２の破損を防止する。【選択図】図３
2008059199.tif 000002
【特許請求の範囲】
【請求項１】
ノート型パーソナルコンピュータを載置面上で使用する際に、前記パーソナルコンピュータと前記載置面との間に挿入された状態で使用されるパソコン台において、
左右方向の連結軸を基準に開閉自在に構成されるとともに、開放状態においてそれぞれの表面が平面を構成し、閉鎖状態においてそれぞれの裏面が合わさるように２つ折りされる奥側の第１支持板と手前側の第２支持板と、
前記第１支持板の奥側の裏面側における左右両端近傍にそれぞれ突設されて、前記載置面に接触する低摩擦の奥側脚部と、
前記第２支持板の手前側の裏面側に設けられて前記載置面に接触する高摩擦の手前側脚部と、
２つ折り時の前記第２支持板の外周に倣うように前記第１支持板の裏面に突設されるとともに、２つ折り時の前記第２支持板を内側に収納する保護リブを有する、
ことを特徴とするパソコン台。
【請求項２】
前記第１支持板と前記第２支持板とはそれぞれ開口部を有し、それぞれの前記開口部側が前記連結軸において連結されるとともに、開放状態において前記開口部が繋がって放熱孔を形成する、
ことを特徴とする請求項１に記載のパソコン台。
【請求項３】
前記開放状態において、前記保護リブの下端と前記載置面との間に間隙が形成される、
ことを特徴とする請求項１又は２に記載のパソコン台。
【請求項４】
前記第１支持板の裏面からの前記奥側脚部の突設高さが、前記第２支持板の裏面からの前記手前側脚部の突設高さよりも高く設定されている、
ことを特徴とする請求項１ないし３のいずれか１項に記載のパソコン台。
【請求項５】
前記第２支持板の手前側に設けられて、前記奥側脚部を前記載置面に接地させた状態で前記手前側脚部を持ち上げるための把手を有する、
ことを特徴とする請求項１ないし４のいずれか１項に記載のパソコン台。
【請求項６】
前記保護リブは、奥側において左右方向に向けたれた左右リブと、左側及び右側においてそれぞれ前後方向に向けられた前後リブと、前記前後リブの奥側端部と前記左右リブの左端及び右端とを連結する傾斜リブとを有し、
前記奥側脚部は、前記奥側脚部と前記載置面との接触部が前記傾斜リブの外側の領域で、かつ前記左右リブの延長よりも手前側に配置され、前記前後リブの延長よりも内側に配置されている、
ことを特徴とする請求項１ないし５のいずれか１項に記載のパソコン台。
【請求項７】
前記第１支持板と前記第２支持板は、開放状態を維持するために相互に係合する、係脱自在の係止部を有する、
ことを特徴とする請求項１ないし６のいずれか１項に記載のパソコン台。
【請求項８】
前記第１支持板の裏面側のうち、前記第１支持板の外周縁の左右両端に位置する部分と、前記保護リブとの間に、左右方向の外側から指を掛けるための指掛け領域が形成されている、
ことを特徴とする請求項１ないし７のいずれか１項に記載のパソコン台。
【請求項９】
前記把手の一部が、パーソナルコンピュータの手前端の位置を規制するストッパとして作用する、
ことを特徴とする請求項５ないし８のいずれか１項に記載のパソコン台。
【発明の詳細な説明】
【技術分野】
【０００１】
本発明は、机上等の載置面上でノート型パーソナルコンピュータを使用する際に、ノート型パーソナルコンピュータを載せるパソコン台に関する。
【背景技術】
【０００２】
ノート型パーソナルコンピュータ（以下「パソコン」という。）を載せて使用するパソコン台において、２つ折りが可能で、持ち運びに便利なものが知られている（例えば、特許文献１）。このパソコン台（ノートキャリー）は、板状の前部ユニットと、同じく板状の後部ユニットとを、丁番部によって開閉自在に連結したものであり、使用時にはこれらを開放してパソコンを載せるための平面を構成し、持ち運び時には、２つ折りにして、コンパクト化を図るようにしている。
【特許文献１】特開２００３−４４１６４号公報
【発明の開示】
【発明が解決しようとする課題】
【０００３】
しかしながら、上述のパソコン台によると、２つ折りによって占有面積はほぼ半分になるものの、厚さについては前部ユニットと後部ユニットのそれぞれの厚さを加えた、ほぼ２倍になるという問題があった。また、例えば、持ち運びに便利なように薄く構成しているために、誤って落下させてしまった場合などに破損しやすいという問題もあった。
【０００４】
そこで、本発明は、２つ折り時の厚さが増加することを抑制し、また落下時等に破損しにくいようにしたパソコン台を提供することを目的とするものである。
【課題を解決するための手段】
【０００５】
請求項１に係る発明は、ノート型パーソナルコンピュータを載置面上で使用する際に、前記パーソナルコンピュータと前記載置面との間に挿入された状態で使用されるパソコン台において、左右方向の連結軸を基準に開閉自在に構成されるとともに、開放状態においてそれぞれの表面が平面を構成し、閉鎖状態においてそれぞれの裏面が合わさるように２つ折りされる奥側の第１支持板と手前側の第２支持板と、前記第１支持板の奥側の裏面側における左右両端近傍にそれぞれ突設されて、前記載置面に接触する低摩擦の奥側脚部と、前記第２支持板の手前側の裏面側に設けられて前記載置面に接触する高摩擦の手前側脚部と、２つ折り時の前記第２支持板の外周に倣うように前記第１支持板の裏面に突設されるとともに、２つ折り時の前記第２支持板を内側に収納する保護リブを有する、ことを特徴とする。
【０００６】
請求項２に係る発明は、請求項１に係るパソコン台において、前記第１支持板と前記第２支持板とはそれぞれ開口部を有し、それぞれの前記開口部側が前記連結軸において連結されるとともに、開放状態において前記開口部が繋がって放熱孔を形成する、ことを特徴とする。
【０００７】
請求項３に係る発明は、請求項１又は２に係るパソコン台において、前記開放状態において、前記保護リブの下端と前記載置面との間に間隙が形成される、ことを特徴とする。
【０００８】
請求項４に係る発明は、請求項１ないし３のいずれか１項に係るパソコン台において、前記第１支持板の裏面からの前記奥側脚部の突設高さが、前記第２支持板の裏面からの前記手前側脚部の突設高さよりも高く設定されている、ことを特徴とする。
【０００９】
請求項５に係る発明は、請求項１ないし４のいずれか１項に係るパソコン台において、前記第２支持板の手前側に設けられて、前記奥側脚部を前記載置面に接地させた状態で前記手前側脚部を持ち上げるための把手を有する、ことを特徴とする。
【００１０】
請求項６に係る発明は、請求項１ないし５のいずれか１項に係るパソコン台において、前記保護リブは、奥側において左右方向に向けたれた左右リブと、左側及び右側においてそれぞれ前後方向に向けられた前後リブと、前記前後リブの奥側端部と前記左右リブの左端及び右端とを連結する傾斜リブとを有し、前記奥側脚部は、前記奥側脚部と前記載置面との接触部が前記傾斜リブの外側の領域で、かつ前記左右リブの延長よりも手前側に配置され、前記前後リブの延長よりも内側に配置されている、ことを特徴とする。
【００１１】
請求項７に係る発明は、請求項１ないし６のいずれか１項に係るパソコン台において、前記第１支持板と前記第２支持板は、開放状態を維持するために相互に係合する、係脱自在の係止部を有する、ことを特徴とする。
【００１２】
請求項８に係る発明は、請求項１ないし７のいずれか１項に係るパソコン台において、前記第１支持板の裏面側のうち、前記第１支持板の外周縁の左右両端に位置する部分と、前記保護リブとの間に、左右方向の外側から指を掛けるための指掛け領域が形成されている、ことを特徴とする。
【００１３】
請求項９に係る発明は、請求項５ないし８のいずれか１項に係るパソコン台において、前記把手の一部が、パーソナルコンピュータの手前端の位置を規制するストッパとして作用する、ことを特徴とする。
【発明の効果】
【００１４】
請求項１の発明によると、第１支持板と第２位置板とは、それぞれの表面が平面を構成しているので、開放状態において表面にパソコンを載せることができる。この状態において、第１支持板の奥側の裏面側における左右両端近傍の突設された低摩擦の奥側脚部と、第２支持板の手前側の裏面側に設けられた高摩擦の手前側脚部とが載置面に接地する。したがって、例えば、パソコンが載置された状態において、第２支持板の手前側を持ち上げれば、高摩擦の手前側脚部が載置面から浮き上がるので、この状態で、低摩擦の奥側脚部によってパソコン台及びパソコンを前後左右に容易に移動させることができる。また、パソコン台は、第１支持板と第２支持板とが裏面が合わさるようにして２つ折りされるので、コンパクトとなり持ち運びが容易である。さらに、２つ折り時に、第２支持板が、第１支持板の裏面に突設されている保護リブの内側に収納されるので、その分、２つ折り時の厚さの増加を抑制することができるとともに、例えば、落下させてしまった場合等に、保護リブによって第２支持板を保護することができるので、第２支持板の損傷を防止することができる。
【００１５】
請求項２の発明によると、第１支持板と第２支持板とは、開口部を有し、開放状態において、これら開口部が繋がって中央側に放熱孔が形成されるので、パソコンで発生した熱をこの放熱孔を介して放熱することができる。
【００１６】
請求項３の発明によると、保護リブの下端と載置面との間に間隙が形成されるので、パソコンで発生した熱をこの間隙を介して放熱することができる。
【００１７】
請求項４の発明によると、第１支持板の奥側脚部及び第２支持板の手前側脚部を載置面に接地させたときに、奥側の第１支持板の表面から手前側の第２支持板の表面にかかって連続して形成される平面が、手前側が低くかつ奥側が高い傾斜面となる。したがって、この上にパソコンを載せると、パソコンのキーボードがこれに合わせて、傾斜することになり、キーボードの操作性が向上する。
【００１８】
請求項５の発明によると、第１支持板及び第２支持板のパソコンを載せた状態で、把手を持ち上げることにより、手前側脚部を載置面から浮かせることができる。この状態で、把手を前後左右に動かすことで、パソコン台を介してパソコンを同方向に容易に移動させることができる。
【００１９】
請求項６の発明によると、例えば、パソコン台に載置されたパソコンを移動させるべく、パソコン台を移動させた際に、パソコン台の奥側脚部が机上等の載置面の奥側、あるいは左右両端側から外れてしまった場合でも、直ちに保護リブのうちの傾斜リブの下端が机の角に当たるので、パソコン台及びパソコンが大きく傾いてしまうことを有効に防止することができる。
【００２０】
請求項７の発明によると、開放状態を維持する係止部を有しているので、例えば、パソコン台にパソコンを載せた状態で、第１支持板又は第２支持板のうちの一方の下面を持ち上げた場合であっても、他方が不要に他方に垂れ下がることがない。
【００２１】
請求項８の発明によると、第１支持板の左右の裏面の指掛け領域に指を掛けてることで、パソコンを載せたままパソコン台を容易に持ち上げることができる。
【００２２】
請求項９の発明によると、把手の一部がパソコンの手前側位置を規制するストッパとして作用するので、専用のストッパを設ける必要がなく、その分、構成を簡略化することができる。
【発明を実施するための最良の形態】
【００２３】
以下、図面に沿って、本発明の実施の形態について説明する。なお、同一の図面又は異なる図面において同一の符合を付したものは、同様の構成あるいは同様の作用をなすものであり、これらについては、適宜、重複説明を省略している。
＜実施の形態１＞
【００２４】
図１〜図１４を参照して、本発明に係るパソコン台１０を説明する。ここで、図１は開放状態のパソコン台１０を机上等の載置面Ｍに置いた状態を手前側右斜め上方から見た図である。図２は開放状態のパソコン台１０の上面図、図３は同じく下面図、図４は同じく右側面図、図５は同じく手前側から見た図、図６は同じく奥側から見た図である。また、図７は第１支持板１１と第２支持板１２とを切り離した状態を示す上面図、図８は同じく下面図、図９は同じく右側面図である。また、図１０は２つ折りにした状態のパソコン台１０の上面図、図１１は同じく下面図、図１２は同じく右側面図、図１３は同じく手前側から見た図、図１４は奥側から見た図である。
【００２５】
これら図１〜図１４に示すパソコン台１０は、ノート型パーソナルコンピュータ（以下「パソコン」という。不図示。）を机上等の載置面Ｍ上で使用する際に、パソコンと載置面Ｍ（なお、載置面Ｍは、各図面において、適宜省略している）との間に開放状態で挿入されて使用されるものであり、また、２つ折りにされた状態で、パソコンとともにあるいは単独で、バック等に入れて持ち運びが可能なものである。
【００２６】
図１〜図４に示すように、パソコン台１０は、ほぼ「Ｃ」字形に形成された薄板状の奥側（後側）の第１支持板１１と、同じくほぼ「Ｃ」字形に形成された薄板状の手前側（前側）の第２支持板１２とを、後述する左右方向の連結軸２０を基準に開閉自在に組み合わせることによって構成されている。なお、本実施の形態におけるパソコン台１０は、中心線Ｌ（図３参照）を基準として左右対称に構成されているが、必ずしもこれに限定されるものではない。
【００２７】
第１支持板１１は、表面１３及び裏面１４が相互に平行な平面状に形成されている。つまり、板厚が一定に形成されている。第１支持板１１の表面１３には、奥側の左端側及び右端側にそれぞれ、載置されるパソコン（不図示）の滑り止めとなるゴム製の円形のパッド１５，１５が取り付けられている。第１支持板１１の裏面１４における、上述のパッド１５，１５に対応する位置には、それぞれ円筒状のボール受け１６，１６が突設されている。ボール受け１６，１６は、ベアリング（不図示）を介して、低摩擦の奥側脚部に相当する支持ボール（回転体）１７，１７を回動自在に支持している。支持ボール１７，１７は、図４に示すように、その下端側をボール受け１６，１６の下端から突出させていて、載置面Ｍとの間に点接触となる接触部Ｓを形成している。
【００２８】
図３に示すように、第１支持板１１は、ほぼ「Ｃ」形の外周縁１１ａと、同じくほぼ「Ｃ」形の内周縁１１ｂとを有していて、これらの間における裏面１４には、第１支持板１１を補強するための板状の補強リブ１８，１９が突設されている。補強リブ１８，１９は、第１支持板１１の外周縁１１ａと内周縁１１ｂに沿って形成されている。このうち補強リブ１８は、第１支持板１１の奥側部分において左右方向に向けられた左右リブ１８ａと、左側部分及び右側部分の手前側において前後方向（奥−手前方向）に向けられた前後リブ１８ｂ，１８ｂと、この前後リブ１８ｂ，１８ｂの奥側端部と、左右リブ１８ａの左端及び右端とを連結する傾斜リブ１８ｃ，１８ｃとを有している。このうち左右リブ１８ａは、第１傾斜板１１の裏面１４における奥側部分の前後方向のほぼ中央に設けてある。また、前後リブ１８ｂ，１８ｂは、第１傾斜板１１の裏面１４側における左側部分及び右側部分の手前側のそれぞれ外周縁１１ａに近い側に設けてある。左右リブ１８ａの左右方向中央には、第２支持板１２の一部に係脱される係合凸部１８ｄが手前側に向けて突設されている。上述の左右リブ１８ａ、前後リブ１８ｂ，１８ｂ、連結リブ１８ｃ，１８ｃからなる補強リブ１８全体は、後述する第２支持板１２の外周縁１２ａとほぼ同じ形状で、外周縁１２ａよりも少し大きく形成されている。
【００２９】
図３，図４に示すように、載置面Ｍと支持ボール１７，１７との接触部Ｓ（図３では、支持ボール１７，１７の中心）は、傾斜リブ１８ｃ，１８ｃの外側の領域で、かつ補強リブ１８における奥側に位置する部分である左右リブ１８ａの延長よりも手前側に配置され、また、補強リブ１８における左右側に位置する部分である前後リブ１８ｂ，１８ｂの延長よりも左右方向内側に配置されている。したがって、例えばパソコンを載せたパソコン台１０を机の上面等の載置面Ｍで奥側に移動させて、支持ボール１７の接触部Ｓが机の角から外れた場合や、左右方向に移動させて左右の接触部Ｓのいずれかが机の角から外れた場合には、直ちに補強リブ１８の一部である傾斜リブ１８ｃ，１８ｃが机の角に当たることになるので、パソコン台１０が大きく傾斜するのを防止することができる。
【００３０】
図３に示すように、第１支持板１１の裏面１４の補強リブ１８は、傾斜リブ１８ｃ，１８ｃが、奥側ほど内側に入り込むように形成されていて、第１支持板１１の外周縁１１ａにおける左右に位置する部分との間に、ユーザが指を掛けるための指掛け領域Ｒ，Ｒが形成されている。この指掛け領域Ｒ，Ｒは、例えば、パソコンを載せた状態のパソコン台１０を、パソコンと一体で移動させる際に、ユーザが左右外側からそれぞれ左手と右手の指を差し入れて、ここに指を引っ掛けるためのものである。これにより、ユーザは、安定した状態で、パソコン台１０ごとパソコンを移動させることが可能となる。
【００３１】
図４に示すように、補強リブ１８全体の、第１支持板１１の裏面１４からの突設高さは、奥側の突設高さａが、手前側の突設高さｂよりも高く設定されており、奥側から手前側にくるに従って突設高さが漸減するようになっている。また、同図に示すようにパソコン台１０が載置面Ｍに置かれた状態においては、補強リブ１８の下端１８ｆと載置面Ｍとの間には、間隙が形成されて、この間隙は、パソコンの放熱に利用されるようになっている。また、後述するように、パソコン台１０の２つ折り状態においては、この補強リブ１８の高さ範囲内に、第２支持板１２が収納されるようになっている。この補強リブ１８によって、２つ折り時の第２支持板１２を、落下時等の破損から保護するものである。この意味で、補強リブ１８は、保護リブとしても作用する。
【００３２】
図３に示すように、補強リブ１９は、ほぼ第１支持板１８の内周縁１１ｂに倣って形成されており、左右リブ１９ａと、前後リブ１９ｂ，１９ｂとによって構成されている。これら左右リブ１９ａと前後リブ１９ｂ，１９ｂとの間には、切欠１９ｃ，１９ｃが設けてある。この切欠１９ｃ，１９ｃは、２つ折り時に、第２支持板１２側の補強リブ２７（後述）が干渉することを防止するためのものである。
【００３３】
図７，図８に示すように、補強リブ１８，１９の一部である前後リブ１８ｂ，１８ｂ，１９ｂ，１９ｂは手前側に少し突設されていて、この突設部分には、係合凸部１８ｅ，１８ｅ，１９ｅ，１９ｅが形成されている。これら係合凸部１８ｅ，１８ｅ，１９ｅ，１９ｅは、次に説明する第２支持板１２側の円筒状の係合部２８，２８の左右の端面に形成された係合凹部（不図示）に係合されるようになっている。
【００３４】
第２支持板１２は、上述の第１支持板１１と同様、表面２１及び裏面２２が相互に平行な平面状に形成されている。つまり、板厚が一定に形成されている。第２支持板１２の裏面２２における手前側の左端側及び右端側には、滑り止めとなるゴム製の円形のパッド２３，２３が取り付けられている。このパッド２３，２３は、パソコン台１０を載置面Ｍに置いて使用する際に、載置面Ｍとの間の滑り止めとなる。すなわち、図４に示すように、パソコン台１０は、開放状態で載置面Ｍに置いた際には、上述の第１支持板１１側の奥側の２箇所の支持ボール１７，１７と、第２支持板１２側の２箇所のパッド２３，２３の計４箇所で載置面Ｍに接触することになる。なお、このパッド２３は、第２支持板１２の裏面２２における手前側の左端側及び右端側に取り付けるのに代えて、例えば、第２支持板１２の裏面２２における手前側のほぼ中央に１個取り付けるようにしてもよい。
【００３５】
図３に示すように、第２支持板１２は、ほぼ「Ｃ」形の外周縁１２ａと、同じくほぼ「Ｃ」形の内周縁１２ｂとを有していて、これらの間における裏面２２には、第２支持板１２を補強するための板状の補強リブ２４，２５，２６，２７が突設されている。このうち補強リブ２４は、第２支持板１２の外周縁１２ａに倣って形成されている。この外周縁１２ａに倣って形成された補強リブ２４は、上述の第１支持板１１側の補強リブ１８よりも、図３に示す下面視形状が少し小さく形成されている。つまり、２つ折り状態において、この補強リブ２４を含む第２支持板１２の外周縁１２ａが、第１支持板１１側の補強リブ１８の内側に収納される（入り込む）ようになっている。また、補強リブ２５は、第２支持板１２の内周縁１２ｂに倣って形成されている。また、補強リブ２６は、内周縁１２ｂの手前側の部分に接するように、左右方向に形成されている。また、補強リブ２７は、第２支持板１２の左側部分及び右側部分においてほぼ前後方向に形成されている。補強リブ２４の奥側の端部と補強リブ２７，２７の奥側の端部との間には、左右方向に向けた軸を有する円筒状の係合部２８，２８が形成されている。これら係合部２８，２８のそれぞれの左右両端に形成された係合凹部（不図示）に、上述の第１支持板１１側の係合凸部１８ｅ，１９ｅ，１８ｅ，１９ｅが係合されることで、開閉の中心となる連結軸２０が構成される。
【００３６】
図４に示すように、第２支持板１２側の補強リブ２４〜２７は、全体として、第２支持板１２の裏面２２からの突設高さは、奥側の突設高さが、手前側の突設高さよりも高くなるように設定されており、奥側から手前側にくるに従って突設高さが漸減するようになっている。そして、奥側の突設高さは、上述の第１支持板１１側の補強リブ１８の手前側の突設高さｂとほぼ同じになっている。また、同図に示すようにパソコン台１０が載置面Ｍに置かれた状態においては、補強リブ２４〜２７の下端２４ａ〜２７ａ（ただし、下端２４ａのみ図示）と載置面Ｍとの間には、間隙が形成されていて、この間隙は、パソコンの放熱に利用されるようになっている。
【００３７】
図１〜図４に示すように、第２支持板１２の手前側には、側面視の形状が「Ｌ」字形の把手３０が突設されている。把手３０は、パソコン台１０をパソコンごと移動させる際に使用するものであり、第２支持板１２の手前側の端部から上方に延びる縦板３０ａと、この縦板３０ａの上端から手前側の延びる、手を引っ掛けるための横板３０ｂとによって構成されている。図６に示すように、把手３０の縦板３０ａにおける手前側の面には、凹部３０ｃが左右方向に形成されている。この凹部３０ｃは、２つ折り状態において、図３に示す第１支持板１１側の補強リブ１８の係合凸部１８ｄに係合して、２つ折り状態を維持するためのものである。また、縦板３０ａにおける奥側の面は、パソコン台１０にパソコンを載せた際に、パソコンの手前側の位置を規制するストッパとして作用する。これによると専用のストッパが不要となるため、その分、構成を簡略化することができる。
【００３８】
図１，図２に示すように、把手３０の横板３０ｂの上面には、表示部３０ｄが設けてある。表示部３０ｄは、パソコンの使用時には、常時、キーボードの手前中央の目立つ位置に位置することから、例えば、ユーザが気に入ったシールや、スポンサーの広告が付されたシールを貼着するのに好適である。
【００３９】
上述のように構成されたパソコン台１０は、図１〜図４に示すように、第１支持板１１と第２支持板１２の開放状態においては、第１支持板１１の手前側の端部と、第２支持板１２の奥側の端部とが突き当たって、それ以上、表面側へは折れ曲がらないようになっている。この状態において、第１支持板１１と第２支持板１２とは、それぞれの表面１３，２１が連続して１つの平面を構成する。この平面は、図４に示すように、第１支持板１１の裏面１４からの支持ボール１７の突出高さが、第２支持板１２の裏面２２からのパッド２３の突出高さよりも高くなるように構成されているので、手前側よりも奥側の方が高い傾斜面になっている。したがって、この平面にパソコンを載せた場合に、パソコンのキーボードが同方向に適度に傾斜し、ユーザによるキーボードの操作性を向上させることができる。また、第１支持板１１と第２支持板１２との開放状態においては、中央に大きな放熱孔３３が構成される。この放熱孔３３は、第１支持板１１の手前側の開口部と、第２支持板１２の奥側の開口部とが合わさって、第１支持板１１の内周縁１１ｂと、第２支持板１２の内周縁１２ｂとに囲まれるように構成される。
【００４０】
また、第１支持板１１側の補強リブ１８，１９及び第２支持板１２側の補強リブ２４〜２７の下端と、載置面Ｍとの間には、図４に示すように、放熱用の間隙が形成されている。
【００４１】
図４に示すように、載置面Ｍに置かれた状態のパソコン台１０は、上述のように、第１支持板１１の裏面１４の２個の支持ボール１７，１７と、第２支持板１２の裏面２２の２箇所のパッド２３，２３によって、載置面Ｍと接触することになる。このうち低摩擦の奥側脚部に相当する２個の支持ボール１７，１７は、パソコン台１０を移動させるときに使用されるものであり、一方、高摩擦の手前側脚部に相当する２個のパッド２３，２３は、載置面Ｍに載置したパソコン台１０が不要に移動することを防止するためのものである。
【００４２】
パソコンを載せた状態でパソコン台１０を載置面Ｍ上で移動させる際には、まず、把手３０を握って持ち上げ、第２支持板１２の裏面２２のパッド２３，２３を載置面Ｍから浮き上がらせる。これにより、載置面Ｍに接触しているのは、低摩擦の支持ボール１７，１７のみとなる。したがって、ユーザは、所望の方向に、パソコン台１０とともにパソコンを小さい力で移動させることができる。さらに、前述のように、移動させすぎて、支持ボール１７，１７が机の角等から外れてしまった場合でも、直ちに、補強リブ１８のうちの傾斜リブ１８ｃ，１８ｃが机の角に当たるので、パソコン台１０、ひいてはパソコンが大きく傾斜することを防止することができる。
【００４３】
上述構成のパソコン台１０は、図１０，図１１，図１２に示すように、２つ折り状態においては、開放状態と比較してほぼ半分の大きさにすることができるため、持ち運びに大変便利である。図１１に示すように、２つ折り状態においては、第２支持板１２は、第１支持板１１の補強リブ１８の内側に収まり、さらに、厚さ方向についても、図１２に示すように、補強リブ１８の高さ範囲内に収まる。したがって、２つ折り状態のパソコン台１０全体は、その占有面積が第１支持板１１の占有面積を超えることがなく、また、厚さも補強リブ１８を含めた第１支持板１１の厚さを超えることがない。つまり、２つ折り時には、非常にコンパクトな構成とすることができる。
【００４４】
さらに、図４に示すように、パソコン台１０全体として、第１支持板１１の表面１３と第２支持板１２の表面２１とによって、奥側が高く傾斜した平面を構成する関係上、奥側の第１支持板１１に対して、手前側の第２支持板１２の厚さが薄くなりがちである。つまり、第１支持板１１によりも第２支持板１２のほうが強度が低くなりがちである。したがって、例えば、２つ折り状態のパソコン台１０を誤って落下させたしまった場合等には、第２支持板１２が損傷する確率が高い。これに対して、本実施の形態では、上述のように、２つ折り時には第１支持板１１の補強リブ１８の内側に、第２支持板１２全体が収まるようにしているので、この補強リブ１８によって第２支持板１２を有効に保護することができるようになっている。
【００４５】
上述の実施の形態では、図１２に示すように、２つ折り時には、把手３０の横板３０ｂが、支持ボール１７，１７よりも下方に突出するように構成されている。この場合、２つ折り状態のパソコン台１０を載置面Ｍに置くと、把手３０が載置面に接触して支持ボール１７，１７が載置面から浮き上がって不安定な状態となるおそれがある。これを防止するには、例えば、把手３０の縦板３０ａの高さを低くして、横板３０ｂが支持ボール１７，１７から突出しないようにすればよい。
【００４６】
上述の構成では、開放状態のパソコン台１０を、例えば、第１支持板１１の指掛け領域Ｒ，Ｒに指を掛けて上方に持ち上げた場合、第２支持板１２は回転して下方に垂れ下がってしまう。
【００４７】
図１５（ａ），（ｂ）に、これを防止するための係止部３４の構成を示す。係止部３４は、第１支持板１１における連結軸２０近傍に位置する部分に係合凸部３１を有しており、一方、第２支持板１２における連結軸２０近傍に位置する部分に係合凹部３２を有している。これら係合凸部３１と係合凹部３２とは、弾性的に係脱できるようになっている。これにより、開放状態においては、係合凸部３１が係合凹部３２に係合するので、第１支持板１１を持ち上げた際に、第２支持板１２が不要に下方に垂れ下がることを防止することができる。
【００４８】
以上の実施の形態においては、第１支持板１１の奥側の裏面１４に突設する低摩擦の奥側脚部として、支持ボール１７を使用したが、これに代えて、円筒状のころや、低摩擦加工（例えば、テフロン（米国デュポン社の登録商標)加工を施した凸部を採用することも可能である。
【００４９】
上述では、第１支持板１１と第２支持板１２とが、ほぼＣ字形である場合を例に説明したが、本発明は、これに限定されるものではない。第１支持板１１と第２支持板１２との開放状態において、それぞれの開口部が繋がって中央側に放熱孔３３を形成するものであれば、他の任意の形状のものを使用することができる。例えば、環状のものをほぼ２等分したような形状のものや、ほぼ「コ」字形のもや、外周が三角形状のものなどを使用することができる。つまり、開放状態において閉ループを形成するものであれば、任意の形状のものを使用することができる。
【図面の簡単な説明】
【００５０】
【図１】開放状態のパソコン台を机上等の載置面Ｍに置いた状態を手前側右斜め上方から見た図である。
【図２】開放状態のパソコン台の上面図である。
【図３】開放状態のパソコン台の下面図である。
【図４】開放状態のパソコン台の右側面図である。
【図５】開放状態のパソコン台を手前側から見た図である。
【図６】開放状態のパソコン台を奥側から見た図である。
【図７】第１支持板と第２支持板とを切り離した状態を示す上面図である。
【図８】第１支持板と第２支持板とを切り離した状態を示す下面図である。
【図９】第１支持板と第２支持板とを切り離した状態を示す右側面図である。
【図１０】２つ折りにした状態のパソコン台の上面図である。
【図１１】２つ折りにした状態のパソコン台の下面図である。
【図１２】２つ折りにした状態のパソコン台の右側面図である。
【図１３】２つ折りにした状態のパソコン台を手前側から見た図である。
【図１４】２つ折りにした状態のパソコン台を奥側から見た図である。
【図１５】（ａ），（ｂ）は係合凸部及び係合凹部を説明する図である。
【符号の説明】
【００５１】
１０        パソコン台
１１        第１支持板
１１ａ      第１支持板の外周縁
１２        第２支持板
１３        第１支持板の表面
１４        第１支持板の裏面
１７        支持ボール（低摩擦の奥側脚部）
１８        補強リブ（保護リブ）
２１        第２支持板の表面
２２        第２支持板の裏面
２３        パッド（高摩擦の手前側脚部）
３０        把手
３３        放熱孔
３４        係止部
２０        連結軸
Ｍ          載置面
Ｒ          指掛け領域
Ｓ          接触部
【図１】
2008059199.tif 000003
【図２】
2008059199.tif 000004
【図３】
2008059199.tif 000005
【図４】
2008059199.tif 000006
【図５】
2008059199.tif 000007
【図６】
2008059199.tif 000008
【図７】
2008059199.tif 000009
【図８】
2008059199.tif 000010
【図９】
2008059199.tif 000011
【図１０】
2008059199.tif 000012
【図１１】
2008059199.tif 000013
【図１２】
2008059199.tif 000014
【図１３】
2008059199.tif 000015
【図１４】
2008059199.tif 000016
【図１５】
2008059199.tif 000017